(57)【要約】【課題】ステープラー用固定部品供給装置の提供。【解決手段】ステープラーは加圧された貯蔵器に結合されるためのポートと、鼻部品に接続されると共に固定部品を該鼻部品へとガイドするガイドチャネルを具えたケーシングとを具えている。保持及び供給装置は該固定部品を保持し該鼻部品に向けて段階的に供給するための一端を具えた一対のアームを具えている。該一対のアームはそれぞれ固定部品と係合するシューと、該シューを保持及び支持するホルダを具えている。アクチュエート装置がスライド可能に該アームと係合し、該アクチュエート装置は選択的に該一対のアームを相互に離れるように移動させるための二つのアクチュエータと、選択的に該一対のアームを相互に接近するように移動させるための二つのブロックとを具えている。【選択図】図１
2007181887.tif 000002
【特許請求の範囲】
【請求項１】
加圧された貯蔵器との結合用のポートと、接続された鼻部品を具えたハウジングと、
上記鼻部品に接続され、固定部品を受け取って上記鼻部品に向けてガイドするため内部に形成されたガイドチャネルを具えたケーシングと、
前記固定部品を保持し前記鼻部品に段階的に供給する保持及び供給手段と、
を具えたことを特徴とする、ステープラー。
【請求項２】
請求項１記載のステープラーにおいて、前記保持及び部品が前記固定部品と噛み合い前記固定部品を保持するための第１端を具えた一対のアームを具えたことを特徴とする、ステープラー。
【請求項３】
請求項２記載のステープラーにおいて、前記アームはそれぞれに前記固定部品と噛み合うためにその第１端に接続されたシューを具えたことを特徴とする、ステープラー。
【請求項４】
請求項３記載のステープラーにおいて、前記アームはそれぞれに前記シューを保持及び支持するためにその第１端に接続されたホルダを具えたことを特徴とする、ステープラー。
【請求項５】
請求項４記載のステープラーにおいて、前記ホルダはピボットにより前記アームに枢設されたことを特徴とする、ステープラー。
【請求項６】
請求項３記載のステープラーにおいて、前記ケーシングは、前記ガイドチャネルに連通して前記アームのシューを受取り前記シューを選択的に前記固定部品に向けて駆動させるための開口を具えたことを特徴とする、ステープラー。
【発明の詳細な説明】
【技術分野】
【０００１】
本発明はステープラー用固定部品供給装置に係り、更に詳しくは、ステープラーの針或いは釘或いは固定部品と、段階的に或いは一つずつ噛み合い、針或いは釘或いはネジ或いはボルト或いは各種固定部品をステープラーにより効果的に駆動するか打つための固定部品供給装置に関する。
【背景技術】
【０００２】
典型的なステープラー或いは固定部品駆動装置はスプリング部材を具えるか、或いはスライド可能に内部に配置されてステープラーの針或いは釘或いは固定部品と噛み合い前向きにドライバー或いはハンマー部品に向けて偏らせ、ステープラーの針或いは釘或いは固定部品をドライバー或いはハンマー部品により駆動するか或いは打つためのスプリングバイアスプッシャー（ｓｐｒｉｎｇ−ｂｉａｓｅｄ  ｐｕｓｈｅｒ）を具えている。
【０００３】
スプリング部材或いはスプリングバイアスプッシャーは、固定的に相互に結合され近接するよう並んで配置されたＵ形或いはＴ形の釘を押圧し推進させることはできるが、円形シャンク或いはステムを具えた典型的な釘或いはネジを押圧し推進することはできない。
【０００４】
例えば特許文献１には、釘ケーシング或いはマガジンにスライド可能に配置されて釘或いは固定部品と噛み合い、それを前向きに釘ドライバー或いはハンマー部品に向けて移動させるスプリングバイアスプラットフォーム（ｓｐｒｉｎｇ−ｂｉａｓｅｄ  ｐｌａｔｆｏｒｍ）が記載されている。しかし、このスプリングバイアスプラットフォームもまた円形シャンク或いはステムを具えた典型的な釘或いはネジを押して推進するのに使用できない。
【０００５】
【特許文献１】米国特許第５，９７５，３５０号明細書
【特許文献２】米国特許第６，２２７，４２９号明細書
【発明の開示】
【発明が解決しようとする課題】
【０００６】
本発明の主要な目的は、ステープラーの針或いは釘或いは固定部品と、段階的に或いは一つずつ噛み合い、針或いは釘或いはネジ或いはボルト或いは各種固定部品をステープラーにより効果的に駆動するか打つための固定部品供給装置を提供することにある。
【０００７】
本発明は一方で、加圧された貯蔵器と結合するためのポートと、それに接合された鼻部品、該鼻部品に接合されたケーシング、固定部品を鼻部品に向けてガイドするためにその内部に形成されたガイドチャネル、固定部品を保持し鼻部品に段階的に供給するための保持及び供給装置を具えたハウジングを具えている。
【０００８】
該保持及び供給装置は固定部品と噛み合い、固定部品を保持するための第１端を具えた一対のアームを包含する。該アームはそれぞれに、固定部品とかみ合うためにその第１端に接合されたシューを具えている。アームはそれぞれに、シューを保持並びに支持するためのホルダをその第１端に具えている。
【０００９】
該ホルダはそれぞれにピボットでアームに枢設されている。該ケーシングはそのガイドチャネルに連通してアームのシューを受け取りシューを選択的に固定部品に向けて動かすための開口を具えている。
【００１０】
該保持及び供給装置はアクチュエート装置を具え、それはスライド可能にアームと組み合わされ、選択的にアームの第１端を互いに向けて駆動でき、また選択的にアームの第１端を互いから離れるように駆動できる。該アクチュエート装置は該アームに組み合わされて選択的に該アームの第１端を相互に離れるように駆動するために、該アクチュエート装置から延伸された二つのアクチュエータを具えている。該アームはそれぞれにそれから延伸されて該アクチュエータと組み合わされるために延伸されたバルジ（ｂｕｌｇｅ）を具えている。
【００１１】
該アクチュエート装置は延伸された二つのブロックを具え、それは該アームと組み合わされて選択的に該アームを相互に向けて駆動するのに供される。該アクチュエート装置は縦のレバーを具え、該レバーはそれから延伸されて該アームと組み合わされるレバーを具えている。該ブロックはそれぞれ該アームとの組合せのための斜面を有している。該アームは該ブロックとの組合せのためにそれから延伸された隆起を具えている。
【００１２】
該保持及び供給装置はスライド自在に内部に収容されてアクチュエート装置に結合されてアクチュエート装置を該アームに対して駆動するピストンをスライド自在に収容するシリンダを具えている。該シリンダはそれに接合された支柱を具え、該アームはそれぞれ該ポストに枢設された第２端を具えている。該アームはそれぞれ、その第２端に形成されて該支柱に枢設される曲がった端部パネルと、該アームの該端部パネルを相互に隔離するために端部パネル間に配置されたスペーサを具えている。
【００１３】
該ケーシングは、該ケーシングのガイドチャネルを選択的に開放或いは閉合するためピボットで枢設されたカバーを具えている。該カバーはスプリングバイアスラッチを具え、これにより選択的に該カバーが該ケーシングにロックされる。該カバーはラッチをスライド可能に接合するための保持具、それに接合された掛け釘を具、及び該ラッチと該掛け釘の間に配置されてラッチの舌を偏らせて選択的にストッパと係合させるためのスプリング部材を具えている。
【００１４】
保持及び供給装置の他の目的及び利点は添付の図面を参照して以下に提供される詳細な説明を注意深く読むことにより明らかとなる。
【課題を解決するための手段】
【００１５】
請求項１の発明は、加圧された貯蔵器との結合用のポートと、接続された鼻部品を具えたハウジングと、
上記鼻部品に接続され、固定部品を受け取って上記鼻部品に向けてガイドするため内部に形成されたガイドチャネルを具えたケーシングと、
前記固定部品を保持し前記鼻部品に段階的に供給する保持及び供給手段と、
を具えたことを特徴とする、ステープラーとしている。
請求項２の発明は、請求項１記載のステープラーにおいて、前記保持及び部品が前記固定部品と噛み合い前記固定部品を保持するための第１端を具えた一対のアームを具えたことを特徴とする、ステープラーとしている。
請求項３の発明は、請求項２記載のステープラーにおいて、前記アームはそれぞれに前記固定部品と噛み合うためにその第１端に接続されたシューを具えたことを特徴とする、ステープラーとしている。
請求項４の発明は、請求項３記載のステープラーにおいて、前記アームはそれぞれに前記シューを保持及び支持するためにその第１端に接続されたホルダを具えたことを特徴とする、ステープラーとしている。
請求項５の発明は、請求項４記載のステープラーにおいて、前記ホルダはピボットにより前記アームに枢設されたことを特徴とする、ステープラーとしている。
請求項６の発明は、請求項３記載のステープラーにおいて、前記ケーシングは、前記ガイドチャネルに連通して前記アームのシューを受取り前記シューを選択的に前記固定部品に向けて駆動させるための開口を具えたことを特徴とする、ステープラーとしている。
【発明の効果】
【００１６】
本発明は、ステープラーの針或いは釘或いは固定部品と、段階的に或いは一つずつ噛み合い、針或いは釘或いはネジ或いはボルト或いは各種固定部品をステープラーにより効果的に駆動するか打つための固定部品供給装置を提供している。
【発明を実施するための最良の形態】
【００１７】
各図を参照されたい。図１〜図３に示されるように、本発明のステープラー１はガン本体或いはハウジング１０を具え、該ハウジング１０は一端或いは後端或いは下端に形成されて水圧或いは空気圧或いは加圧された貯蔵器と結合して加圧された流体或いは空気をそれから受け取るためのポート１１を具え、及びハウジング１０の前部及び下部に接合されて釘或いは針或いはネジ或いは固定部品８０を駆動或いは打つための、及び、伝統的な駆動装置（図示せず）に固定部品８０を駆動させるか打たせるための典型的な鼻部品１２を具えている。
【００１８】
ガイド装置或いはケーシング１３が該鼻部品１２に接合され、それは内部に形成されたガイドチャネル１４を具え、図２、図６−９及び図１４−１８）を具え、該ガイドチャネル１４により固定部品８０を受け取り該固定部品８０を該鼻部品１２に向けてガイドし駆動装置（図示せず）により駆動或いは打たせる。マガジン１５がケーシング１３に接合或いは結合されてその内部に固定部品８０を収容して固定部品８０をケーシング１３のガイドチャネル１４に供給する。該ケーシング１３はこうしてマガジン１５の一部として形成されて、該固定部品８０を受け取り鼻部品１２へとガイドし、これは図１６−１８に最もよく示されている。
【００１９】
図１−７に示されるように、該ケーシング１３はピボット２１のようなもので枢設或いは回転可能に接合されたカバー２０を具え、これによりケーシング１３のガイドチャネル１４が選択的に開放或いは閉合され、及び又は、ぎっしり詰め込まれた固定部品８０が選択的に移動させられる。例えば、カバー２０はそれに接合されたループ或いは保持具２２、保持具２２にスライド可能に接合されたラッチ２３、カバー２０に接合されるかカバー２０より延伸された掛け釘２４、該ラッチ２３と該掛け釘２４の間に配置されてラッチ末端或いはラッチ２３の舌２７を偏らせて選択的にストッパ２８と係合させると共に選択的にカバー２０をケーシング１３にロックするスプリング部材２５を具えている。これは図６−７に最もよく示される。
【００２０】
水圧或いは空気圧或いは加圧された貯蔵器或いは装置３０はケーシング１３及び又はハウジング１０に接合或いは固定されたシリンダ３１を具え、シリンダ３１はその内部にチャンバ３２が形成されてスライド可能に内部にピストン３３を収容する。シリンダ３１はチャンバ３２に収容されてピストン３３と組み合わされ、該ピストン３３を偏らせる或いは回復させるスプリング部材３４を具えるほか、チャンバ３２に結合或いは連通してハウジング１０から加圧された流体或いは空気の比較的少ない部分を受け取るための口３５を具えている（図３−５及び図１２−１５）。支柱３７がシリンダ３１或いはハウジング１０に接合或いは固定されるかシリンダ３１より延伸されて保持手段或いは装置４０の接合或いは支持に供される。
【００２１】
保持手段或いは装置４０は一対のアーム４１を具え、各アーム４１は一端４３に形成或いは提供された曲がった端部パネル４２を具え、該支柱３７にスライド可能に接合され回転可能及びスライド可能に支柱３７に対して上がり下がりし、各アーム４１はまた該一対のアーム４１の端部パネル４２の間に配置されて該一対のアーム４１の端部パネル４２を相互に隔離するスペーサ４４を具えている。該保持手段或いは装置４０の一対のアーム４１はそれぞれその別端より延伸された一つ以上の耳４５と、延伸された一つ以上の耳５１を具えてピボット５２等で前記耳４５に枢設されてパッド或いはシュー５３を内部に支持するためのホルダ５０を具えている。
【００２２】
図２−５、図８−９、及び図１４−１８に示されるように、ケーシング１３は内部に形成された開口１６を具え、該開口１６はガイドチャネル１４に連通して部分的に固定部品８０を露出させるか、固定部品８０はケーシング１３の該開口１６を漸進的、或いは列をなして、或いは段階的或いは一つずつ通過する。該ホルダ５０及びシュー５３はケーシング１３の開口１６内に係合するよう配置されて固定部品８０と噛み合い固定部品８０を保持して段階的或いは一つずつ鼻部品１２へと前向きに固定部品８０を供給し、固定部品８０が駆動装置（図示せず）により駆動或いは打たれるようにし、これは図８−９、及び図１４−１８に示されるとおりである。
【００２３】
アクチュエート装置６０はピストン３３に固定されてピストン３３と協動する一端或いは前端或いは上端６２を具えた垂直なレバー６１と、該レバー６１の中間より延伸されてアーム４１と組み合わされて選択的にアーム４１相互間を隔離するた一つ、或いはそれ以上、例えば二つのアクチュエータ６４（図１３）、レバー６１の別端に提供されるか一体に延伸されたビーム６５、ビーム６５の末端部より延伸されてアーム４１と組み合わされてアーム４１を互いに向けて推進させる（図１７）斜面６７、及び、該レバー６１に形成されるかブロック６６により画定されてアーム４１を受け取る及び又は制限するスペース６８を包含する。
【００２４】
好ましくは、アーム４１はそれぞれが横向きに内側に向けて延伸されて指状部６３及び又はアクチュエート装置６０のアクチュエータ６４と組み合わされるバルジ４７を具えている。アーム４１は、外向きに延伸されてアクチュエート装置６０のブロック６６の斜面６７と組み合わされる隆起４８を具えている。アーム４１へのバルジ４７と隆起４８の提供或いは形成はアーム４１の間距を決定及び又はアーム４１により支柱３７に沿って及び又はケーシング１３及びマガジン１５及び空気圧或いは加圧された貯蔵器或いは装置３０のシリンダ３１に対して移動する距離を決定するように配置される。
【００２５】
操作において、図３−５に示されるように、ステープラー１が引金１８（図１−３）により操作或いはアクチュエートされる時、駆動装置（図示せず）は駆動されて典型的な打つ、或いは駆動する操作において固定部品８０を駆動するか或いは打つが、これについては詳細な説明を省略する。この時、加圧された流体或いは空気の比較的少ない部分がハウジング１０からシリンダ３１のチャンバ３２に口３５より供給されて、ピストン３３を押圧し、これによりアクチュエート装置６０がケーシング１３及びマガジン１５及び空気圧或いは加圧された貯蔵器或いは装置３０のシリンダ３１に対して移動すると共に、アーム４１に対して移動する（図１３）。
【００２６】
この時、図１３に最もよく示されるが、アクチュエート装置６０の指状部６３及び又はアクチュエータ６４はアーム４１、例えばアーム４１のバルジ４７と組み合わされ、選択的にアーム４１を互いに引き離す（図９）。典型的な打つ或いは駆動する操作の後、シリンダ３１のチャンバ３２内の加圧された流体或いは空気は放出されてシリンダ３１のチャンバ３２内の圧力は消失し、スプリング部材３４はこうしてピストン３３と係合しピストン３３を駆動してもとの位置或いはシリンダ３１の口３５に向けて回復させる。
【００２７】
ピストン３３がシリンダ３１の口３５に向けて回復する時、図１２に示されるように、ブロック６６の斜面６７はアーム４１の隆起４８に係合して選択的にアーム４１を互いに向けて駆動する（図８、図１２）。そしてこうしてホルダ５０とシュー５３を駆動して固定部品８０と係合させるか固定部品８０を保持させる。更に、ブロック６６の斜面６７はアーム４１と係合し選択的にそしてわずかにアーム４１を駆動するよう配置され、これにより固定部品８０は適宜保持されて前向きに鼻部品１２に向けて段階的或いは一つずつ供給され、これは図１４−１８に最もよく示され、そして固定部品８０が駆動装置（図示せず）により駆動されるか打たれる。
【００２８】
ここで記すべきことは、アーム４１及び又はホルダ５０及び又はシュー５３はゆえに保持及び供給手段として働くか或いは固定部品８０を保持して前向きに鼻部品１２或いは駆動装置に向けて段階的に或いは一つずつ供給する装置として働き、これにより固定部品８０が駆動装置により駆動されるか打たれることである。固定部品８０は各種形態とされ得て、釘、針、ネジ、ボルトあるいはそれらに類似のものとされ得て、保持手段或いは装置により保持され前方に供給されることである。
【００２９】
ホルダ５０及びシュー５３はアーム４１に固着されるか一体に形成される。しかし、ピボット５２によるアーム４１へのホルダ５０とシュー５３の枢設或いは接続はホルダ５０とシュー５３をアーム４１に対してわずかに回転可能としてホルダ５０及び又はシュー５３の間に固定部品８０をしっかりと保持させる。ブロック６６の斜面６７なしで、アーム４１は互いに向けてスプリング部材（図示せず）或いはそれに類似のものにより押動される。
【図面の簡単な説明】
【００３０】
【図１】本発明の固定部品供給装置を具えたステープラーの斜視図である。
【図２】本発明のステープラー用固定部品供給装置の部分分解図である。
【図３】本発明のステープラー用固定部品供給装置とステープラーの側面図である。
【図４】本発明のステープラー用固定部品供給装置の拡大部分側面図である。
【図５】図４に類似の拡大部分側面図であり、ステープラー用固定部品供給装置の操作を示す。
【図６】図４の６−６線に沿った部分断面図である。
【図７】図６に類似の部分断面図であり、ステープラー用固定部品供給装置の操作を示す。
【図８】図４の８−８線に沿った部分断面図である。
【図９】図８に類似の部分断面図であり、ステープラー用固定部品供給装置の操作を示す。
【図１０】本発明中、保持及び供給装置の部分分解図である。
【図１１】本発明中、保持及び供給装置の部分分解図である。
【図１２】図４の１２−１２線に沿った部分断面図である。
【図１３】図１２に類似の部分断面図であり、ステープラー用固定部品供給装置の操作を示す。
【図１４】本発明のステープラー用固定部品供給装置の別の拡大部分側面図である。
【図１５】図１４に類似の拡大部分側面図であり、ステープラー用固定部品供給装置の操作を示す。
【図１６】図１の１６−１６線に沿った部分断面図である。
【図１７】図１６に類似の部分断面図であり、ステープラー用固定部品供給装置の操作を示す。
【図１８】図１６に類似の部分断面図であり、ステープラー用固定部品供給装置の操作を示す。
【符号の説明】
【００３１】
１  ステープラー
１０  ハウジング
１１  ポート
８０  固定部品
１２  鼻部品
１３  ケーシング
１４  ガイドチャネル
１５  マガジン
２１  ピボット
２０  カバー
２２  保持具
２３  ラッチ
２４  掛け釘
２７  舌
２８  ストッパ
２５  スプリング部材
３０  貯蔵器或いは装置
３１  シリンダ
３２  チャンバ
３３  ピストン
３４  スプリング部材
３５  口
３７  支柱
４９  保持手段或いは装置
４１  アーム
４３  一端
４２  端部パネル
４４  スペーサ
４５  耳
５１  耳
５２  ピボット
５３  シュー
５０  ホルダ
１６  開口
６０  アクチュエート装置
６２  上端
６１  レバー
６４  アクチュエータ
６５  ビーム
６７  斜面
６８  スペース
６３  指状部
６７  バルジ
６６  ブロック
４８  隆起
１８  引金
【図１】
2007181887.tif 000003
【図２】
2007181887.tif 000004
【図３】
2007181887.tif 000005
【図４】
2007181887.tif 000006
【図５】
2007181887.tif 000007
【図６】
2007181887.tif 000008
【図７】
2007181887.tif 000009
【図８】
2007181887.tif 000010
【図９】
2007181887.tif 000011
【図１０】
2007181887.tif 000012
【図１１】
2007181887.tif 000013
【図１２】
2007181887.tif 000014
【図１３】
2007181887.tif 000015
【図１４】
2007181887.tif 000016
【図１５】
2007181887.tif 000017
【図１６】
2007181887.tif 000018
【図１７】
2007181887.tif 000019
【図１８】
2007181887.tif 000020